(57)【要約】【課題】  本発明は、２本の靴紐を片手で持ち、容易に固定したり緩めたりすることができる靴紐固定具を提供する。【解決手段】  靴胛部に取付けられる一対の靴紐固定具において、各靴紐固定具には紐を収容するための溝が断面Ｖ字形であり、かつ、Ｖ字開口が上方又は同じ方向で側方となるように設けられ、該溝内面には溝底に対し溝の軸方向に沿って靴紐が通される方向に傾斜した複数の山形条の張出部が形成された靴紐固定具を用いて、靴紐を容易に固定できる。【選択図】  図１
2006075179.tif 000002
【特許請求の範囲】
【請求項１】
靴胛部に取付けられる一対の靴紐固定具において、各靴紐固定具には紐を収容するための溝が断面Ｖ字形であり、かつ、Ｖ字開口が上方又は同じ方向で側方となるように設けられ、該溝内面には溝底に対し溝の軸方向に沿って靴紐が通される方向に傾斜した複数の山形条の張出部が形成されていることを特徴とする靴紐固定具。
【請求項２】
一対の靴紐固定具のそれぞれが、溝の紐入口に紐ガイド部を有していることを特徴とする請求項１に記載の靴紐固定具。
【請求項３】
一対の靴紐固定具が、取付け板に固定されていることを特徴とする請求項１又は２に記載の靴紐固定具。
【請求項４】
余分な靴紐を把持固定する部具が、取付け板に設けられていることを特徴とする請求項３に記載の靴紐固定具。
【請求項５】
一対の靴紐固定具のそれぞれが、靴胛部を挟着する一対の部具に固定されていることを特徴とする請求項１または２に記載の靴紐固定具。
【請求項６】
余分な靴紐を把持固定する部具が、把持固定板に設けられていることを特徴とする請求項５に記載の靴紐固定具。
【発明の詳細な説明】
【技術分野】
【０００１】
本発明は、片手で２本の靴紐を容易に固定できる靴紐固定具に関するものである。
【背景技術】
【０００２】
一般に、紐締めタイプの靴は、使用者の足に保持するために紐の両端部を蝶結びして着用される。歩行中に蝶結びが緩み、その結果として靴が所望のようにピッタリ合わなくなり、更に悪い場合には、蝶結びが完全に解けて紐の末端をバタバタさせ、つまずいたり、転倒したりすることもある。また、片手に何らかの障害を有する人々にとって、靴紐を結ぶ作業の困難さは深刻である。
靴紐を両手で結ぶという作業は、ある程度の器用さを要求され、時間がかかり、煩わしいという経験を多くの人が持っている。また、紐は結ぶことを前提にしているので、結んだ後に紐が余ってしまうことがあり、この余った紐は邪魔になり、踏んでしまう危険がある上、見た目が悪い。
【０００３】
特許文献１には、ロック装置に設けた２列の整列歯対からなる保持部分に弾性編み紐１本を嵌合させてロックする装置が記載されている。この装置は２本の紐を装置の紐入口から通し、１本１本別々に固定するものであり、２本の紐を片手で固定する工夫はされていない。また、余った紐の処理について開示されていない。
特許文献２には、断面Ｖ字形の溝であって、向い合った溝内面に多数の山形条の形成された紐挟着溝がＶ字開口を側方として形成されている靴紐止め具で靴紐を固定することが記載されている。この靴紐止め具は、靴胛部に設けられた紐孔の終端部近くの両側方に縫着して使用するため、２本の紐を１本１本別々に靴の両側方に固定するというものであり、この紐止め具では、２本の紐を片手で固定することはできない。
【特許文献１】特表平５−５０１９８０号公報
【特許文献２】実開平７−３３１０５号公報
【発明の開示】
【発明が解決しようとする課題】
【０００４】
本発明は、上記事実に鑑みてなされたものであり、２本の靴紐を片手で持ち容易に固定することができる靴紐固定具を提供する。
【課題を解決するための手段】
【０００５】
本発明の靴紐固定具は、靴胛部に取付けられる一対の靴紐固定具において、各靴紐固定具には紐を収容するための溝が断面Ｖ字形であり、かつ、Ｖ字開口が上方又は同じ方向で側方となるように設けられ、該溝内面には溝底に対し溝の軸方向に沿って靴紐が通される方向に傾斜した複数の山形条の張出部が形成されていることを特徴とする。
本発明は、一対の靴紐固定具のそれぞれが、溝の紐入口に紐ガイド部を有している態様の上記靴紐固定具を提供する。
本発明は、一対の靴紐固定具が、取付け板上に固定されている態様の上記靴紐固定具を提供する。
本発明は、余分な靴紐を把持固定する部具が、取付け板に設けられた態様の上記靴紐固定具を提供する。
本発明は、一対の靴紐固定具のそれぞれが、靴胛部を挟着する一対の部具に固定されている態様の上記靴紐固定具を提供する。
また、本発明は、余分な靴紐を把持固定する部具が、把持固定板に設けられた態様の上記靴紐固定具を提供する。
【発明の効果】
【０００６】
本発明の靴紐固定具を使用することにより、片手で２本の靴紐を引張りながら紐１本１本を固定でき、蝶結びという煩わしい作業が不要となる。また、固定した後の紐を片手で靴紐２本の末端を持ち、２本一緒に保持部に保持し処理することができ、靴紐が余って邪魔になることがない。また、片手に何らかの障害を有する人々にとって、靴紐を結ぶ作業の困難さは深刻である。
【発明を実施するための最良の形態】
【０００７】
本発明の靴紐固定具を図面で説明する。
図１は、溝のＶ字開口が上方である靴紐固定具に靴紐を固定した靴の全体を示す斜視図である。図２は、溝のＶ字開口が上方である靴紐固定具に靴紐を固定した靴の全体の平面図である。図３は、溝のＶ字開口が同じ方向の側方である靴紐固定具に靴紐を固定した靴の一部を示す斜視図である。図４は、溝のＶ字開口が上方である靴紐固定具を取付け板上に固定した一例の平面図である。図５は、図４の靴紐固定具のＡ−Ａ’から見た正面図である。図６は、図５のＢ−Ｂ’から見た断面図である。図７は、取付け板上に固定された、溝のＶ字開口が同じ方向の側方である靴紐固定具の平面図であり、図８のＣ−Ｃ’から見た断面図である。図８は、図７のＤ−Ｄ’から見た正面図である。図９は、図７のＥ−Ｅ’から見た断面図である。図１０は、図４の取付け板裏面の平面図である。図１１は、図７の取付け板裏面の平面図である。図１２は、靴胛部を挟着する部具上に固定された靴紐固定具の一例の斜視図である。図１３は、取付け板上に固定された、溝のＶ字開口が上方である靴紐固定具及び靴紐保持具の一例の平面図である。図１４は、取付け板上に固定された、溝のＶ字開口が同じ方向の側方である靴紐固定具及び靴紐保持具の一例の平面図である。図１５は靴紐を把持固定する部具の一例の斜視図である。図１６は、靴紐固定具で固定し、余った靴紐を把持固定する部具で処理した態様の一例を示す。
次に、本発明の靴紐固定具を図面により説明する。
【０００８】
図１及び図２は、溝３のＶ字開口が上方である靴紐固定具を取付けた靴の全体を示す一例の斜視図及び平面図である。図３は、溝のＶ字開口が同じ方向の側方である靴紐固定具に靴紐を固定した靴の一部を示す一例の斜視図である。一対の靴紐固定具１、１は、靴胛部１５に取付けられる。靴紐固定具１、１に紐１４、１４を固定する方法を説明する。
図１及び図２に示すように、溝３のＶ字開口が上方である靴紐固定具に取付ける場合は、靴紐固定具１の紐通し孔１１から出た２本の紐１４、１４の末端を片手で持ちながら靴紐固定具１、１の上方向に引張り、次いで一対の各靴紐固定具１、１の紐を収容するための溝３に１本の紐を紐通し孔１１と反対方向、すなわち靴先の方向に引張りながら溝３のＶ字開口の上から溝底４に押え、挟み込む。
図３に示すように、溝３のＶ字開口が同じ方向の側方である靴紐固定具を取付けた場合は、靴紐固定具１、１の紐通し孔１１から出た２本の紐１４、１４の末端を片手で持ち、紐を靴先の方向に引張りながら横方向から溝３、３に押え、挟み込む。この場合、一対の靴のそれぞれに取付ける靴紐固定具１、１のＶ字開口の方向は、紐を固定する作業をスムースに行うために、全て同じとすることが好ましい。
溝３、３のＶ字開口１７が上方又は同じ方向の側方となる場合でも、靴紐固定具１、１を紐孔の終端部近くの靴胛部１５に取付けることにより、２本の紐１４、１４を片手で固定することができる。
【０００９】
図４及び図５で靴紐固定具１の溝に挟み込まれた紐に及ぼす作用効果を説明する。図４及び図５は、それぞれ、取付け板上に固定された溝のＶ字開口１７が上方である靴紐固定具の平面図及び靴紐固定具１のＡ−Ａ’から見た正面図である。靴紐固定具１は、断面Ｖ字形の溝３、溝底４及び張出部５を有している。引張られた状態の紐は、溝３に挟み込まれた後、紐の引張を解除すると、靴紐の弾力的な縮み若しくは緩みによって溝内を戻ろうとする。図６は図５のＢ−Ｂ’から見た断面図である。図６に示す通り、溝内面には溝底４に対して溝の軸方向に沿って紐が通される方向に上方に傾斜した複数の山形条の張出部５が形成されている。この複数の山形条の張出部５により、靴紐は山形条の対向した溝底４に楔状に嵌り込み、紐は緩み方向への移動が確実に阻止され固定される。
図６に示すように、靴紐固定具１の溝底４は、溝３のＶ字開口が上方である靴紐固定具の場合、引張りながら紐を溝３に挟み込みやすくするために、溝底４を、紐を通す方向に対し上向きに傾斜させてもよい。
図７及び図８は、それぞれ、取付け板７上に固定された溝３のＶ字開口が同じ方向の側方である靴紐固定具１、１の平面図及び図７のＤ−Ｄ’から見た正面図である。図９は図７のＥ−Ｅ’から見た断面図である。この靴紐固定具１は、断面Ｖ字形の溝３、溝底４及び張出部５を有しており、溝３に挟み込まれた紐に及ぼす作用効果は前記と同じである。靴紐固定具１を用いた紐の固定方法は、紐通し孔１１から出る紐を引張った状態で挟着保持するので、紐を引張る引張強度以上の強度を靴の締付けに与えないという特徴を有する。
【００１０】
図５及び図８に示すように、靴紐固定具１の溝断面Ｖ字形の開口角度は、１０〜３５度である。このような開口角度にすることにより、タイプの異なる様々な靴紐を効果的に固定することができる。開口角度が１０度未満、あるいは３５度を超えると、靴紐の固定が不充分となる。図６及び図７に示す、向い合った溝内面に形成する複数の張出部５は、平行に並び、溝底４に対し溝の軸方向に沿って紐が通される方向に傾斜させて設けられる。この傾斜角度は３０〜５０度である。傾斜角度が３０度未満、あるいは５０度を超えると、靴紐の固定が不充分となる。また、張出部５は、靴紐のサイズによるが、各溝内面に少なくとも３個形成され、その張出部の山の高さが、０．５〜２ｍｍ、幅が１〜３ｍｍ程度が好ましい。
【００１１】
図７及び図９に示すように、溝３のＶ字開口が側方である靴紐固定具の場合、溝３の紐入口に紐ガイド部１８を設けることが好ましい。溝３のＶ字形の開口角度が小さい場合、紐を横方向から、靴先の方に傾斜した側方の溝３に挟み込みことが難くなるため、紐入口に開口部分が大きい紐ガイド部１８を設け、それを通して溝３に導入して挟むことが好ましい。紐ガイド部１８は紐を溝に容易に導入できる構造であればよい。例えば、靴紐固定具１が直方体であって、その長手方向に設けた紐を通す溝の、前部を紐ガイド部１８とし、後部を固定する溝３とする。紐ガイド部１８の溝は、紐を挿入しやすくするため、張出部がなく、開口部を広くした構造でよい。靴紐固定具１から紐を外した後、再び紐を固定するとき、紐ガイド部１８に紐を挿入する作業を省くため、紐通し孔１１を靴紐固定具１の外に設けず、紐ガイド部内に設けてもよい。溝３のＶ字開口が上方である靴紐固定具においても、溝３の紐入口に紐ガイド部が設けることができる。
靴紐固定具１の形状は、該靴紐固定具１に靴紐を固定する作業がし易いものであればよく、さらに、張出部５の溝底４からその末端までの長さは、紐が溝３から外れず、強固に固定させる長さとすることが好ましい。紐ガイド部の長さは、紐を溝に導入できる程度であればよい。
【００１２】
次に、本発明の靴紐固定具１を靴胛部１５に取付ける方法を説明する。図４及び図７に示すように、一対の靴紐固定具１は取付け板７上に固定される。取付け板７上に各溝３の軸が平行となるように固定してもよいが、２本の紐を片手で持ちながら溝３に挟み込み易くするために、一対の溝３の軸が紐を通す方向に狭まるように固定してもよい。
図１０は、図４の溝３のＶ字開口が上方となるように靴紐固定具が固定された取付け板の裏面の平面図である。この取付け板７の裏面に保持具６を設け、靴に結束されている靴紐にこの保持具６を引掛けて、取付け板７を固定することができる。例えば図１０に示すようなフック６を設け、このフック６を靴に結束されている靴紐に引掛けて、靴紐固定具１は靴胛部１５に安定に保持される。
【００１３】
図１１は、図７の溝３のＶ字開口が側方となるように靴紐固定具が固定された取付け板の裏面の平面図である。この取付け板７の裏面に保持具６、例えば図８及び図１１に示すようなフック６を設け、靴胛部１５の縁にこのフック６を当接して、取付け板７を固定することができる。図８に示すように、溝３の開口が左向き、すなわち、履いた靴の上から見て左向きに設けられている場合、保持具６は右側の靴胛部１５の縁に当接するように取付け板の裏面に設けられる。開口が右向きに設けられている場合、保持具６は左側の靴胛部１５の縁に当接するように取付け板に設けられる。こうすることにより、紐を溝３に挟み込むとき、靴紐固定具１は靴胛部１５からずれることなく安定して保持されている。
【００１４】
図１２は、靴胛部１５に取付ける靴紐固定具１の他の一例である。一対の靴紐固定具の各靴紐固定具１、１は、靴胛部１５の縁に当接する一対の左右対称である部具２、２、例えばフック状の部具に固定される。図１２では、挟着部具上面８、挟着部具下面９に紐通し孔１１が設けられている。挟着部具上面８には、靴紐固定具１の紐入口及び紐出口に紐通し孔１１及び１９を設けることが好ましい。部具２で挟着し、紐を靴胛部１５の紐孔、紐通し孔１９を重ねて通した後、挟着部具下面９の紐通し孔１１、靴胛部１５の紐孔、挟着部具上面８の紐通し孔１１と重ねて通す。２箇所の紐孔を通すことにより、靴紐固定具１は靴胛部１５にしっかりと取付けられる。部具２、２に、図１２に示す溝３のＶ字開口が上方である靴紐固定具と同様に、側方である靴紐固定具を固定できる。紐通し孔１１から出た２本の紐は、前記と同様の方法で靴紐固定具１に固定される。
【００１５】
図１３及び図１４は、取付け板上に固定された靴紐固定具及び靴紐保持具の一例を示す平面図である。図１５は、靴紐を把持固定する部具の一例の斜視図である。図１、図２及び図３において、靴紐固定具１、１に紐１４、１４を固定した後、不必要な程度に紐が余った場合、図１３、図１４及び図１５に示すような靴紐を把持固定する部具１２を設けて、余分な紐を処理することができる。
把持固定する部具１２として、例えばフックが適当であり、該フックの先端に内側に出た突起を設けることにより２本の紐をまとめて効果的に把持できる。
図１３及び図１４は、把持固定する部具１２が、靴紐固定具１と共に取付け板７に固定されている場合を示す。溝３を通った一対の靴紐を保持し易い位置に把持固定する部具１２を設ける。図１０又は図１１で示した靴紐保持具６で取付け板７を靴胛部１５に取付けることにより、把持固定する部具１２を靴胛部１５に固定できる。
【００１６】
図１５は、把持固定する部具１２を、靴紐固定具１と独立して設ける場合の部具を示す。図１６は、図１５に示される部具を使用して、余った靴紐を処理した態様の一例を示す。把持固定板１０に、靴紐を把持固定する部具１２を載置し、この把持固定板１０にゴム紐のような弾性紐１３を設ける。弾性紐１３は、図１６に示すように、予め靴胛部の靴紐の靴先端にある靴紐１４に、絡めておく。溝３を通った一対の靴紐を、ゴム紐１３が引張られる状態にして把持固定する部具１２に把持することにより、把持固定する部具１２は、靴にしっかりと固定され、また、靴紐は弛まなく把持される。
【００１７】
図１６に示すように、靴紐１４を把持固定する部具１２で把持処理した後、更に、紐が余った場合、一対の靴紐固定具の靴舌片１６と反対側の外側を通して巻張りした後、再び、把持固定する部具１２で把持処理することもできる。
この巻張りにおいて、紐を靴紐固定具１の側方から外れることなく安定して巻張り状態とするため、靴紐固定具１の紐が接する部分に紐を収容する溝を設けてもよい。
【００１８】
靴紐固定具１及び把持固定する部具１２から紐１４を取り外す場合、靴紐の末端を片手で持って把持固定する部具１２から外した後、溝３のＶ字開口の上方向又は横方向に引張り、溝３に挟着した状態を解除することにより、容易に取り外すことができる。
【００１９】
靴紐固定具１や靴胛部を挟着する部具２は、例えば、射出成形や圧縮ダイカストのような成形法によって製造することができる。その材料としては、他の材料も使えるものの、例えば、ナイロン、ポリプロピレン、ＡＢＳ等のプラスチックやアルミニウムが適している。取付け板７の材料としては、例えば、ナイロン、ポリプロピレン、ＡＢＳ等のプラスチックが適している。取付け板７は靴型にピッタリと合わさって保持することが望ましい。形状記憶プラスチックを用い、足型に合わせた形状の取付け板を成形できる。靴紐固定具１と取付け板７又は靴胛部を挟着する部具２は、別々に製造し接着剤等で固定してもよく、一体化したものを射出成形等で成形することができる。
【産業上の利用可能性】
【００２０】
一般の紐締めタイプの靴やスニーカ等の靴胛部に取付けた靴紐固定具により２本の靴紐を片手で容易に固定でき、また余った紐を保持固定する部具で弛まず、見た目よく処理でき、蝶結びする煩わしさや、余った紐が邪魔になる問題が解消され、多くの人に利用され得る。
【図面の簡単な説明】
【００２１】
【図１】図１は、溝のＶ字開口が上方である靴紐固定具に靴紐を固定した靴の全体を示す斜視図である。
【図２】図２は、溝のＶ字開口が上方である靴紐固定具に靴紐を固定した靴の全体の平面図である。
【図３】図３は、溝のＶ字開口が同じ方向の側方である靴紐固定具に靴紐を固定した靴の一部を示す斜視図である。
【図４】図４は、溝のＶ字開口が上方である靴紐固定具を取付け板上に固定した一例の平面図である。
【図５】図５は、図４の靴紐固定具のＡ−Ａ’から見た正面図である。
【図６】図６は、図５のＢ−Ｂ’から見た断面図である。
【図７】図７は、取付け板上に固定された、溝のＶ字開口が同じ方向の側方である靴紐固定具の平面図であり、図８のＣ−Ｃ’から見た図である。
【図８】図８は、図７の靴紐固定具のＤ−Ｄ’から見た正面図である。
【図９】図９は、図８のＥ−Ｅ’から見た断面図である。
【図１０】図１０は、図４の取付け板裏面の平面図である。
【図１１】図１１は、図８の取付け板裏面の平面図である。
【図１２】図１２は、靴胛部を挟着する部具上に固定された靴紐固定具の一例の斜視図である。
【図１３】図１３は、取付け板上に固定された、溝のＶ字開口が上方である靴紐固定具及び靴紐保持具の一例の平面図である。
【図１４】図１４は、取付け板上に固定された、溝のＶ字開口が同じ方向の側方である靴紐固定具及び靴紐保持具の一例の平面図である。
【図１５】図１５は、靴紐を把持固定する部具の一例の斜視図である。
【図１６】図１６は、靴紐固定具で固定し、余った靴紐を把持固定する部具で処理した態様の一例を示す。
【符号の説明】
【００２２】
１  ：靴紐固定具
２  ：靴胛部を当接する部具
３  ：溝
４  ：溝底
５  ：張出部
６  ：保持具
７  ：取付け板
８  ：挟着部具上面
９  ：挟着部具下面
１０：把持固定板
１１：紐通し孔
１２：把持固定する部具
１３：弾性紐
１４：紐
１５：靴胛部
１６：靴舌片
１７：Ｖ字開口
１８：紐ガイド部
１９：紐通し孔
【図１】
2006075179.tif 000003
【図２】
2006075179.tif 000004
【図３】
2006075179.tif 000005
【図４】
2006075179.tif 000006
【図５】
2006075179.tif 000007
【図６】
2006075179.tif 000008
【図７】
2006075179.tif 000009
【図８】
2006075179.tif 000010
【図９】
2006075179.tif 000011
【図１０】
2006075179.tif 000012
【図１１】
2006075179.tif 000013
【図１２】
2006075179.tif 000014
【図１３】
2006075179.tif 000015
【図１４】
2006075179.tif 000016
【図１５】
2006075179.tif 000017
【図１６】
2006075179.tif 000018